(57)【要約】本開示は植物モニタ、情報生成方法及び装置、ならびに植物モニタシステムを提供し、電子装置の分野に関する。植物モニタは、主制御チップと、主制御チップに接続している無線通信チップと、主制御チップに接続している少なくとも１つの生長環境モニタリングセンサとを備え、前記少なくとも１つの生長環境モニタリングセンサは、照明センサ、温度センサ、湿度センサ及び土壌導電率センサのうちの少なくとも１つを備え、前記主制御チップは、前記生長環境モニタリングセンサによって採取される生長環境データを取得し、前記無線通信チップを介して前記生長環境データを移動端末に送信するように構成され、前記移動端末は前記生長環境データに基づいて植物栽培参考情報を生成するように構成されている。ユーザが植物の生長習性を知らなくても、植物の生長環境が適切であるかをユーザ自身が判断しなくても、植物モニタを植物生長土壌に挿入するだけで植物栽培参考情報を取得することができるという効果を達成できる。【選択図】図２Ａ
2019513369.tif 000002
【特許請求の範囲】
【請求項１】
主制御チップと、前記主制御チップに接続している無線通信チップと、前記主制御チッに接続している少なくとも１つの生長環境モニタリングセンサとを備える植物モニタであって、
前記少なくとも１つの生長環境モニタリングセンサは、照明センサ、温度センサ、湿度センサ及び土壌導電率センサのうちの少なくとも１つを備え、
前記主制御チップは、前記生長環境モニタリングセンサによって採取される生長環境データを取得し、前記無線通信チップを介して前記生長環境データを移動端末に送信し、前記移動端末に前記生長環境データに基づいて植物栽培参考情報を生成させるように構成されている植物モニタ。
【請求項２】
前記植物モニタは、土壌に挿入するように構成されている挿入アームをさらに備え、
前記湿度センサは、前記挿入アームに配置されており、土壌の湿度を採取するように構成されている請求項１に記載の植物モニタ。
【請求項３】
前記植物モニタは、土壌に挿入するように構成されている挿入アームをさらに備え、
前記土壌導電率センサは２つの金属電極を備え、前記２つの金属電極は前述挿入アームに配置されている請求項１に記載の植物モニタ。
【請求項４】
並列に配置される２つの前記挿入アームが備えられ、各前記の挿入アームには１つの前記金属電極が配置されている請求項３に記載の植物モニタ。
【請求項５】
前記主制御チップはさらに前記無線通信チップを介して前記移動端末とバインディング関係を確立するように構成されている請求項１から４のいずれかの１つに記載の植物モニタ。
【請求項６】
植物モニタが送信した生長環境データを受信するステップと、
前記生長環境データに基づいて植物栽培参考情報を生成するステップと、を備え、
前記生長環境データは前記植物モニタが生長環境モニタリングセンサによって採取されるものであり、前記生長環境モニタリングセンサは、照明センサ、温度センサ、湿度センサ及び土壌導電率センサのうちの少なくとも１つを備える情報生成方法。
【請求項７】
前記生長環境データに基づいて植物栽培参考情報を生成するステップは、
予定植物に対応する参考環境データを取得するステップと、
前記生長環境データを前記参考環境データと比較するステップと、
比較結果に基づいて前記植物栽培参考情報を生成するステップと、を備える請求項６に記載の情報生成方法。
【請求項８】
前記生長環境データは照明データを備え、前記参考環境データは第１閾値と第２閾値とを備え、前記第１閾値は前記第２閾値より小さく、
前記比較結果に基づいて前記植物栽培参考情報を生成するステップは、
前記照明データまたは前記照明データの統計値が前記第１閾値より小さい場合、照度を上げることについて注意を喚起するように構成されている第１植物栽培参考情報を生成するステップと、
前記照明データまたは前記照明データの統計値が前記第２閾値より大きい場合、照度を下げることについて注意を喚起するように構成されている第２植物栽培参考情報を生成するステップと、を備える請求項７に記載の情報生成方法。
【請求項９】
前記生長環境データは温度データを備え、前記参考環境データは第１温度と第２温度とを備え、前記第１温度は前記第２温度より低く、
前記比較結果に基づいて前記植物栽培参考情報を生成するステップは、
前記温度データまたは前記温度データの統計値が前記第１温度より低い場合、温度を上げることについて注意を喚起するように構成されている第３植物栽培参考情報を生成するステップと、
前記温度データまたは前記温度データの統計値が前記第２温度より高い場合、温度を下げることについて注意を喚起するように構成されている第４植物栽培参考情報を生成するステップと、を備える請求項７に記載の情報生成方法。
【請求項１０】
前記生長環境データは土壌湿度データを備え、前記参考環境データは第１湿度と第２湿度とを備え、前記第１湿度は前記第２湿度より小さく、
前記比較結果に基づいて前記植物栽培参考情報を生成するステップは、
前記土壌湿度データまたは前記土壌湿度データの統計値が前記第１湿度より低い場合、水を供給することについて注意を喚起するように構成されている第５植物栽培参考情報を生成するステップと、
前記土壌湿度データまたは前記土壌湿度データの統計値が前記第２湿度より高い場合、通風することについて注意を喚起するように構成されている第６植物栽培参考情報を生成するステップと、を備える請求項７に記載の情報生成方法。
【請求項１１】
前記生長環境データは土壌ｐＨ値を備え、前記土壌ｐＨ値は土壌導電率に基づく計算により取得され、前記参考環境データは第１ｐＨ値と第２ｐＨ値とを備え、前記第１ｐＨ値は前記第２ｐＨ値より小さく、
前記比較結果に基づいて前記植物栽培参考情報を生成するステップは、
前記土壌ｐＨ値または前記土壌ｐＨ値の統計値が前記第１ｐＨ値より小さい場合、アルカリ性肥料を供給することについて注意を喚起するように構成されている第７植物栽培参考情報を生成するステップと、
前記土壌ｐＨ値または前記土壌ｐＨ値の統計値が前記第２ｐＨ値より大きい場合、酸性肥料を供給することについて注意を喚起するように構成されている第８植物栽培参考情報を生成するステップと、を備える請求項７に記載の情報生成方法。
【請求項１２】
前記生長環境データは土壌ｐＨ値を備え、前記土壌ｐＨ値は土壌導電率に基づく計算により取得され、前記参考環境データは第３ｐＨ値と第４ｐＨ値とを備え、前記第３ｐＨ値は前記第４ｐＨ値より小さく、
前記比較結果に基づいて前記植物栽培参考情報を生成するステップは、
前記土壌ｐＨ値または前記土壌ｐＨ値の統計値が前記第３ｐＨ値より小さい場合、酸性の土壌における吸収率が所定条件より低い第１元素肥料を供給することについて注意を喚起するように構成されている第９植物栽培参考情報を生成するステップと、
前記土壌ｐＨ値または前記土壌ｐＨ値の統計値が前記第４ｐＨ値より大きい場合、アルカリ性の土壌における吸収率が所定条件より低い第２元素肥料を供給することについて注意を喚起するように構成されている第１０植物栽培参考情報を生成するステップと、を備える請求項７に記載の情報生成方法。
【請求項１３】
前記情報生成方法は、
前記植物モニタとバインディング関係を確立するステップと、
前記植物モニタに対応する前記予定植物を記録するステップと、をさらに備える請求項７から１２のいずれかの１つに記載の情報生成方法。
【請求項１４】
前記情報生成方法は、前記植物栽培参考情報と誘導入口とをグラフィカルユーザインターフェースに表示するステップをさらに備え、前記誘導入口は少なくとも１つの栽培道具を購入するための入口、肥料を購入するための入口、栽培掲示板へ移動するための入口または栽培技術ウェブページへ移動するための入口を備える請求項８から１２のいずれかの１つに記載の情報生成方法。
【請求項１５】
植物モニタが送信した生長環境データを受信するように構成されている受信モジュールであって、前記生長環境データは前記植物モニタが生長環境モニタリングセンサによって採取されるものであり、前記生長環境モニタリングセンサは、照明センサ、温度センサ、湿度センサ及び土壌導電率センサのうちの少なくとも１つを備える受信モジュールと、
前記生長環境データに基づいて植物栽培参考情報を生成するように構成されている生成モジュールと、を備える情報生成装置。
【請求項１６】
前記生成モジュールは、
予定植物に対応する参考環境データを取得するように構成されている取得サブモジュールと、
前記生長環境データを前記参考環境データと比較するように構成されている比較サブモジュールと、
比較結果に基づいて前記植物栽培参考情報を生成するように構成されている生成サブモジュールと、を備える請求項１５に記載の情報生成装置。
【請求項１７】
前記生長環境データは照明データを備え、前記参考環境データは第１閾値と第２閾値とを備え、前記第１閾値は前記第２閾値より小さく、
前記生成サブモジュールは、前記照明データまたは前記照明データの統計値が前記第１閾値より小さい場合、照度を上げることについて注意を喚起するように構成されている第１植物栽培参考情報を生成して、前記照明データまたは前記照明データの統計値が前記第２閾値より大きい場合、照度を下げることについて注意を喚起するように構成されている第２植物栽培参考情報を生成するように構成されている請求項１６に記載の情報生成装置。
【請求項１８】
前記生長環境データは温度データを備え、前記参考環境データは第１温度と第２温度とを備え、前記第１温度は前記第２温度より低く、
前記生成サブモジュールは、前記温度データまたは前記温度データの統計値が前記第１温度より低い場合、温度を上げることについて注意を喚起するように構成されている第３植物栽培参考情報を生成して、前記温度データまたは前記温度データの統計値が前記第２温度より高い場合、温度を下げることについて注意を喚起するように構成されている第４植物栽培参考情報を生成するように構成されている請求項１６に記載の情報生成装置。
【請求項１９】
前記生長環境データは土壌湿度データを備え、前記参考環境データは第１湿度と第２湿度とを備え、前記第１湿度は前記第２湿度より小さく、
前記生成サブモジュールは、前記土壌湿度データまたは前記土壌湿度データの統計値が前記第１湿度より低い場合、水を供給することについて注意を喚起するように構成されている第５植物栽培参考情報を生成して、前記土壌湿度データまたは前記土壌湿度データの統計値が前記第２湿度より高い場合、通風することについて注意を喚起するように構成されている第６植物栽培参考情報を生成するように構成されている請求項１６に記載の情報生成装置。
【請求項２０】
前記生長環境データは土壌ｐＨ値を備え、前記土壌ｐＨ値は土壌導電率に基づく計算により取得され、前記参考環境データは第１ｐＨ値と第２ｐＨ値とを備え、前記第１ｐＨ値は前記第２ｐＨ値より小さく、
前記生成サブモジュールは、前記土壌ｐＨ値または前記土壌ｐＨ値の統計値が前記第１ｐＨ値より小さい場合、アルカリ性肥料を供給することについて注意を喚起するように構成されている第７植物栽培参考情報を生成して、前記土壌ｐＨ値または前記土壌ｐＨ値の統計値が前記第２ｐＨ値より大きい場合、酸性肥料を供給することについて注意を喚起するように構成されている第８植物栽培参考情報を生成するように構成されている請求項１６に記載の情報生成装置。
【請求項２１】
前記生長環境データは土壌ｐＨ値を備え、前記土壌ｐＨ値は土壌導電率に基づく計算により取得され、前記参考環境データは第３ｐＨ値と第４ｐＨ値とを備え、前記第３ｐＨ値は前記第４ｐＨ値より小さく、
前記生成サブモジュールは、前記土壌ｐＨ値または前記土壌ｐＨ値の統計値が前記第３ｐＨ値より小さい場合、酸性の土壌における吸収率が所定条件より低い第１元素肥料を供給することについて注意を喚起するように構成されている第９植物栽培参考情報を生成して、前記土壌ｐＨ値または前記土壌ｐＨ値の統計値が前記第４ｐＨ値より大きい場合、アルカリ性の土壌における吸収率が所定条件より低い第２元素肥料を供給することについて注意を喚起するように構成されている第１０植物栽培参考情報を生成するように構成されている請求項１６に記載の情報生成装置。
【請求項２２】
前記植物モニタとバインディング関係を確立するように構成されているバインディングモジュールと、
前記植物モニタに対応する前記予定植物を記録するように構成されている記録モジュールと、をさらに備える請求項１６から２１のいずれかの１つに記載の情報生成装置。
【請求項２３】
前記植物栽培参考情報と誘導入口とをグラフィカルユーザインターフェースに表示するように構成されている表示モジュールをさらに備え、前記誘導入口は少なくとも１つの栽培道具を購入するための入口、肥料を購入するための入口、栽培掲示板へ移動するための入口または栽培技術ウェブページへ移動するための入口を備える請求項１７から２１のいずれかの１つに記載の情報生成装置。
【請求項２４】
プロセッサと、
前記プロセッサにより実施可能な指令を格納するメモリと、を備え、
前記プロセッサは、
植物モニタが送信した生長環境データを受信し、前記生長環境データは前記植物モニタが生長環境モニタリングセンサによって採取されるものであり、前記生長環境モニタリングセンサは、照明センサ、温度センサ、湿度センサ及び土壌導電率センサのうちの少なくとも１つを備え、
前記生長環境データに基づいて植物栽培参考情報を生成するように構成されている情報生成装置。
【請求項２５】
移動端末と植物モニタとを備える植物モニタシステムであって、
前記移動端末は無線通信により前記植物モニタと接続し、
前記植物モニタは請求項１から５のいずれかの１つに記載の植物モニタであり、
前記移動端末は請求項１５から２３のいずれかの１つに記載の情報生成装置を備える植物モニタシステム。
【発明の詳細な説明】
【技術分野】
【０００１】
本開示の実施形態は電子装置の分野に関し、具体的に、植物モニタ、情報生成方法及び装置、ならびに植物モニタシステムに関する。
【背景技術】
【０００２】
観賞植物の栽培は日常生活中よく見られる趣味の１つである。観賞植物は空気を浄化でき、精神をリラックスさせ、健康促進に対して素晴らしい効果を有する。
【０００３】
観賞植物を栽培する時、ユーザは観賞植物の生長習性に基づいて照明、水分および肥料を供給する必要がある。しかしながら、観賞植物の多様化が進むにつれて、ユーザが植物の生長習性を知らない状況では観賞植物を良い状態に保つように栽培することが難しくなる。
【発明の概要】
【発明が解決しようとする課題】
【０００４】
ユーザが生長習性を知らない状況では観賞植物を良い状態に栽培することが難しいという問題を解決するために、本開示の実施形態は植物モニタ、情報生成方法及び装置、ならびに植物モニタシステムを提供する。その技術的解決案は下記通りである。
【課題を解決するための手段】
【０００５】
本開示の第１態様に基づくと、植物モニタが提供される。植物モニタは、主制御チップと、主制御チップに接続している無線通信チップと、主制御チップに接続している少なくとも１つの生長環境モニタリングセンサとを備え、少なくとも１つの生長環境モニタリングセンサは、照明センサ、温度センサ、湿度センサ及び土壌導電率センサのうちの少なくとも１つを備え、
主制御チップは、生長環境モニタリングセンサによって採取される生長環境データを取得し、無線通信チップを介して生長環境データを移動端末に送信し、移動端末に生長環境データに基づいて植物栽培参考情報を生成させるように構成されている。
【０００６】
選択的な実施形態において、植物モニタは、土壌に挿入するように構成されている挿入アームをさらに備え、湿度センサは、挿入アームに配置されており、土壌の湿度を採取するように構成されている。
【０００７】
選択的な実施形態において、植物モニタは、土壌に挿入するように構成されている挿入アームをさらに備え、土壌導電率センサは２つの金属電極を備え、２つの金属電極は挿入アームに配置されている。
【０００８】
選択的な実施形態において、並列に配置される２つの挿入アームが備えられ、各前記の挿入アームには１つの金属電極が配置されている。
【０００９】
選択的な実施形態において、主制御チップはさらに無線通信チップを介して移動端末とバインディング関係を確立するように構成されている。
【００１０】
本開示の第２態様に基づくと、情報生成方法が提供される。情報生成方法は、植物モニタが送信した生長環境データを受信するステップと、生長環境データに基づいて植物栽培参考情報を生成するステップと、を備える。
生長環境データは植物モニタが生長環境モニタリングセンサによって採取されるものであり、生長環境モニタリングセンサは、照明センサ、温度センサ、湿度センサ及び土壌導電率センサのうちの少なくとも１つを備える。
【００１１】
選択的な実施形態において、生長環境データに基づいて植物栽培参考情報を生成するステップは、
予定植物に対応する参考環境データを取得するステップと、
生長環境データを参考環境データと比較するステップと、
比較結果に基づいて植物栽培参考情報を生成するステップと、を備える。
【００１２】
選択的な実施形態において、生長環境データは照明データを備え、参考環境データは第１閾値と第２閾値とを備え、第１閾値は第２閾値より小さく、
比較結果に基づいて植物栽培参考情報を生成するステップは、
照明データまたは照明データの統計値が第１閾値より小さい場合、照度を上げることについて注意を喚起するように構成されている第１植物栽培参考情報を生成するステップと、
照明データまたは照明データの統計値が第２閾値より大きい場合、照度を下げることについて注意を喚起するように構成されている第２植物栽培参考情報を生成するステップと、を備える。
【００１３】
選択的な実施形態において、生長環境データは温度データを備え、参考環境データは第１温度と第２温度とを備え、第１温度は第２温度より低く、
比較結果に基づいて植物栽培参考情報を生成するステップは、
温度データまたは温度データの統計値が第１温度より低い場合、温度を上げることについて注意を喚起するように構成されている第３植物栽培参考情報を生成するステップと、
温度データまたは温度データの統計値が第２温度より高い場合、温度を下げることについて注意を喚起するように構成されている第４植物栽培参考情報を生成するステップと、を備える。
【００１４】
選択的な実施形態において、生長環境データは土壌湿度データを備え、参考環境データは第１湿度と第２湿度とを備え、第１湿度は第２湿度より小さく、
比較結果に基づいて植物栽培参考情報を生成するステップは、
土壌湿度データまたは土壌湿度データの統計値が第１湿度より低い場合、水を供給することについて注意を喚起するように構成されている第５植物栽培参考情報を生成するステップと、
土壌湿度データまたは土壌湿度データの統計値が第２湿度より高い場合、通風することについて注意を喚起するように構成されている第６植物栽培参考情報を生成するステップと、を備える。
【００１５】
選択的な実施形態において、生長環境データは土壌ｐＨ値を備え、土壌ｐＨ値は土壌導電率に基づく計算により取得され、参考環境データは第１ｐＨ値と第２ｐＨ値とを備え、第１ｐＨ値は第２ｐＨ値より小さく、
比較結果に基づいて植物栽培参考情報を生成するステップは、
土壌ｐＨ値または土壌ｐＨ値の統計値が第１ｐＨ値より小さい場合、アルカリ性肥料を供給することについて注意を喚起するように構成されている第７植物栽培参考情報を生成するステップと、
土壌ｐＨ値または土壌ｐＨ値の統計値が第２ｐＨ値より大きい場合、酸性肥料を供給することについて注意を喚起するように構成されている第８植物栽培参考情報を生成するステップと、を備える。
【００１６】
選択的な実施形態において、生長環境データは土壌ｐＨ値を備え、土壌ｐＨ値は土壌導電率に基づく計算により取得され、参考環境データは第３ｐＨ値と第４ｐＨ値とを備え、第３ｐＨ値は第４ｐＨ値より小さく、
比較結果に基づいて植物栽培参考情報を生成するステップは、
土壌ｐＨ値または土壌ｐＨ値の統計値が第３ｐＨ値より小さい場合、酸性の土壌における吸収率が所定条件より低い第１元素肥料を供給することについて注意を喚起するように構成されている第９植物栽培参考情報を生成するステップと、
土壌ｐＨ値または土壌ｐＨ値の統計値が第４ｐＨ値より大きい場合、アルカリ性の土壌における吸収率が所定条件より低い第２元素肥料を供給することについて注意を喚起するように構成されている第１０植物栽培参考情報を生成するステップと、を備える。
【００１７】
選択的な実施形態において、情報生成方法は、
植物モニタとバインディング関係を確立するステップと、
植物モニタに対応する予定植物を記録するステップと、をさらに備える。
【００１８】
選択的な実施形態において、情報生成方法は、植物栽培参考情報と誘導入口とをグラフィカルユーザインターフェースに表示するステップをさらに備え、誘導入口は少なくとも１つの栽培道具を購入するための入口、肥料を購入するための入口、栽培掲示板へ移動するための入口または栽培技術ウェブページへ移動するための入口を備える。
【００１９】
本開示の第３態様に基づくと、情報生成装置が提供される。情報生成装置は、
植物モニタが送信した生長環境データを受信するように構成されている受信モジュールであって、生長環境データは植物モニタが生長環境モニタリングセンサによって採取されるものであり、生長環境モニタリングセンサは、照明センサ、温度センサ、湿度センサ及び土壌導電率センサのうちの少なくとも１つを備える受信モジュールと、
生長環境データに基づいて植物栽培参考情報を生成するように構成されている生成モジュールと、を備える。
【００２０】
選択的な実施形態において、生成モジュールは、
予定植物に対応する参考環境データを取得するように構成されている取得サブモジュールと、
生長環境データを参考環境データと比較するように構成されている比較サブモジュールと、
比較結果に基づいて植物栽培参考情報を生成するように構成されている生成サブモジュールと、を備える。
【００２１】
選択的な実施形態において、生長環境データは照明データを備え、参考環境データは第１閾値と第２閾値とを備え、第１閾値は第２閾値より小さく、
生成サブモジュールは、照明データまたは照明データの統計値が第１閾値より小さい場合、照度を上げることについて注意を喚起するように構成されている第１植物栽培参考情報を生成して、照明データまたは照明データの統計値が第２閾値より大きい場合、照度を下げることについて注意を喚起するように構成されている第２植物栽培参考情報を生成するように構成されている。
【００２２】
選択的な実施形態において、生長環境データは温度データを備え、参考環境データは第１温度と第２温度とを備え、第１温度は第２温度より低く、
生成サブモジュールは、温度データまたは温度データの統計値が第１温度より低い場合、温度を上げることについて注意を喚起するように構成されている第３植物栽培参考情報を生成して、温度データまたは温度データの統計値が第２温度より高い場合、温度を下げることについて注意を喚起するように構成されている第４植物栽培参考情報を生成するように構成されている。
【００２３】
選択的な実施形態において、生長環境データは土壌湿度データを備え、参考環境データは第１湿度と第２湿度とを備え、第１湿度は第２湿度より小さく、
生成サブモジュールは、土壌湿度データまたは土壌湿度データの統計値が第１湿度より低い場合、水を供給することについて注意を喚起するように構成されている第５植物栽培参考情報を生成して、土壌湿度データまたは土壌湿度データの統計値が第２湿度より高い場合、通風することについて注意を喚起するように構成されている第６植物栽培参考情報を生成するように構成されている。
【００２４】
選択的な実施形態において、生長環境データは土壌ｐＨ値を備え、土壌ｐＨ値は土壌導電率に基づく計算により取得され、参考環境データは第１ｐＨ値と第２ｐＨ値とを備え、第１ｐＨ値は第２ｐＨ値より小さく、
生成サブモジュールは、土壌ｐＨ値または土壌ｐＨ値の統計値が第１ｐＨ値より小さい場合、アルカリ性肥料を供給することについて注意を喚起するように構成されている第７植物栽培参考情報を生成して、土壌ｐＨ値または土壌ｐＨ値の統計値が第２ｐＨ値より大きい場合、酸性肥料を供給することについて注意を喚起するように構成されている第８植物栽培参考情報を生成するように構成されている。
【００２５】
選択的な実施形態において、生長環境データは土壌ｐＨ値を備え、土壌ｐＨ値は土壌導電率に基づく計算により取得され、参考環境データは第３ｐＨ値と第４ｐＨ値とを備え、第３ｐＨ値は第４ｐＨ値より小さく、
生成サブモジュールは、土壌ｐＨ値または土壌ｐＨ値の統計値が第３ｐＨ値より小さい場合、酸性の土壌における吸収率が所定条件より低い第１元素肥料を供給することについて注意を喚起するように構成されている第９植物栽培参考情報を生成して、土壌ｐＨ値または土壌ｐＨ値の統計値が第４ｐＨより大きい場合、アルカリ性の土壌における吸収率が所定条件より低い第２元素肥料を供給することについて注意を喚起するように構成されている第１０植物栽培参考情報を生成するように構成されている。
【００２６】
選択的な実施形態において、情報生成装置は、
植物モニタとバインディング関係を確立するように構成されているバインディングモジュールと、
植物モニタに対応する予定植物を記録するように構成されている記録モジュールと、をさらに備える。
【００２７】
選択的な実施形態において、植物栽培参考情報と誘導入口とをグラフィカルユーザインターフェースに表示するように構成されている表示モジュールをさらに備え、誘導入口は少なくとも１つの栽培道具を購入するための入口、肥料を購入するための入口、栽培掲示板へ移動するための入口または栽培技術ウェブページへ移動するための入口を備える。
【００２８】
本開示の第４態様に基づくと、情報生成装置が提供される。情報生成装置は、
プロセッサと、
プロセッサにより実施可能な指令を格納するメモリと、を備え、
プロセッサは、
植物モニタが送信した生長環境データを受信し、生長環境データは植物モニタが生長環境モニタリングセンサによって採取されるものであり、生長環境モニタリングセンサは、照明センサ、温度センサ、湿度センサ及び土壌導電率センサのうちの少なくとも１つを備え、
生長環境データに基づいて植物栽培参考情報を生成するように構成されている。
【００２９】
本開示の第５態様に基づくと、植物モニタシステムが提供される。植物モニタシステムは、移動端末と植物モニタとを備え、
移動端末は無線通信により植物モニタと接続し、
植物モニタは第１態様に基づく植物モニタであり、
移動端末は第３態様または第４態様に基づく情報生成装置を備える。
【発明の効果】
【００３０】
本開示の実施形態において提供される技術的解決案は下記有益な効果を有する。
【００３１】
少なくとも１つの生長環境モニタリングセンサによって生長環境データを採取するため、移動端末は生長環境データに基づいて植物栽培参考情報を生成することができる。したがって、ユーザが植物の生長習性を知らない状況では観賞植物を良い状態に栽培することが難しいという問題を解決することができる。また、ユーザが観賞植物の生長習性を知らなくても、植物の生長環境が適切であるかをユーザ自身が判断しなくても、植物モニタを植物生長土壌に挿入するだけで植物栽培参考情報を取得することができるという効果を達成できる。
【図面の簡単な説明】
【００３２】
本開示の実施形態をさらに明確に説明するために、実施形態に対応する添付図面の簡単な紹介を次に掲げる。明らかに、下記図面は本開示の一部の実施形態に対応するものに過ぎず、当業者はこれらの図面に基づいて創造的労働を行うことなくに他の図面を得ることができる。
【図１】本開示の例示的な実施形態に基づく植物モニタシステムを示す概念図
【図２Ａ】本開示の例示的な実施形態に基づく植物モニタを示すブロック図
【図２Ｂ】本開示の例示的な実施形態に基づくもう１つの植物モニタを示すブロック図
【図３】本開示の例示的な実施形態に基づく情報生成方法を示すフローチャート
【図４】本開示の例示的な実施形態に基づくもう１つの情報生成方法を示すフローチャート
【図５Ａ】本開示の例示的な実施形態に基づく情報生成方法のインターフェースを示す概念図
【図５Ｂ】本開示の例示的な実施形態に基づくもう１つの情報生成方法のインターフェースを示す概念図
【図６】本開示の例示的な実施形態に基づくもう１つの情報生成方法を示すフローチャート
【図７】本開示の例示的な実施形態に基づくもう１つの情報生成方法を示すフローチャート
【図８】本開示の例示的な実施形態に基づくもう１つの情報生成方法を示すフローチャート
【図９】本開示の例示的な実施形態に基づくもう１つの情報生成方法を示すフローチャート
【図１０】本開示の例示的な実施形態に基づくもう１つの情報生成方法を示すフローチャート
【図１１Ａ】本開示の例示的な実施形態に基づく情報生成装置を示すブロック図
【図１１Ｂ】本開示の例示的な実施形態に基づくもう１つの情報生成装置を示すブロック図
【図１２】本開示の例示的な実施形態に基づく移動端末を示すブロック図
【発明を実施するための形態】
【００３３】
本開示の目的、技術的解決案及び利点を明確にするために、以下は添付図面を参照して本開示の下記実施形態について詳細に説明する。
【００３４】
図１は本開示の例示的な実施形態に基づく植物モニタシステムを示す概念図である。植物モニタスステムは移動端末１２０と植物モニタ１４０を備える。
【００３５】
移動端末１２０は、携帯電話、タブレットコンピューター、電子ブックリーダー、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ３）プレイヤー、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ４）プレイヤー、ラップトップコンピューター、デスクトップコンピューターなどであってもよい。選択的に、移動端子１２０には植物栽培タイプのアプリケーションがインストールされている。
【００３６】
移動端末１２０は無線通信を通して植物モニタ１４０に接続する。無線通信は、ジグビー（Ｚｉｇｚａｇ  Ｆｌｙｉｎｇ  ｏｆ  Ｂｅｅｓ、Ｚｉｇｂｅｅ）通信、無線通信標準Ｚ−Ｗａｖｅ通信、Ｗｉ−Ｆｉ（Ｗｉｒｅｌｅｓｓ  Ｆｉｄｅｌｉｔｙ）通信、ＢＬＥ（Ｂｌｕｅｔｏｏｔｈ（登録商標）  Ｌｏｗ  Ｅｎｅｒｇｙ）通信、またはＲＦ（Ｒａｄｉｏ  Ｆｒｅｑｕｅｎｃｙ）通信のうちの少なくとも１つであってもよい。
【００３７】
植物モニタ１４０は、植物の生長環境をモニタリングし、モニタリングにより取得した生長環境データを移動端末１２０に送信する機器または装置である。
【００３８】
図２Ａは本開示の例示的な実施形態に基づく植物モニタ１４０を示すブロック図である。植物モニタ１４０は主制御チップ１４１と、主制御チップ１４１に接続している無線通信チップ１４２と、主制御チップ１４１に接続している少なくとも１つの生長環境モニタリングセンサ１４３とを備える。
【００３９】
少なくとも１つの生長環境モニタリングセンサ１４３は、照明センサ１４３ａ、温度センサ１４３ｂ、湿度センサ１４３ｃ及び土壌導電率センサ１４３ｄのうちの少なくとも１つを備える。
【００４０】
無線通信チップ１４２は、ジグビーチップ、Ｚ−Ｗａｖｅチップ、Ｗｉ−Ｆｉチップ、ＢＬＥチップ、またはＲＦチップのうちに少なくとも１つであってもよい。
【００４１】
照明センサ１４３ａは植物生長環境における照明データを採取するように構成されている。温度センサ１４３ｂは植物生長環境における温度データを採取するように構成されている。湿度センサ１４３ｃは植物生長環境における空気湿度データまたは土壌湿度データを採取するように構成されている。土壌導電率センサ１４３ｄは植物生長環境における導電率を採取するように構成されている。選択的に、この導電率は土壌のｐＨ値または土壌の肥沃度に変換されることができる。
【００４２】
主制御チップ１４１は生長環境モニタリングセンサ１４３によって採取される生長環境データを取得し、無線通信チップ１４２を介してこの生長環境データを移動端末１２０に送信するように構成されている。移動端末１２０は生長環境データに基づいて植物栽培参考情報を生成するように構成されている。
【００４３】
選択的に、生長環境データは少なくとも１つの照明データ、温度データ、土壌湿度データ、または土壌ｐＨ値を含む。
【００４４】
選択的に、主制御チップ１４１は所定の送信ストラテジに基づいて生長環境データを移動端末１２０に送信する。選択的に、所定の送信ストラテジは所定時間ごとに送信すること、データが変わった時に送信すること、または移動端末からのデータリクエストを受信する時に送信することのうちに少なくとも１つを含む。
【００４５】
主制御チップ１４１はさらに無線通信チップ１４２を介して移動端末１２０とバインディング関係を確立するように構成されている。
【００４６】
例示的で選択的な実施形態において、図２Ｂに示されているように、植物モニタ１４０はハウジング２２０とハウジング２２０に内蔵されたＰＣＢ２４０（Ｐｒｉｎｔｅｄ  ｃｉｒｃｕｉｔ  ｂｏａｒｄ）とを備える。ＰＣＢ２４０には主制御チップ１４１、ブルートゥース（登録商標）通信チップ２４２、照明センサ２４３、温度センサ２４４、湿度センサ２４５及び土壌導電率センサ２４６が配置されている。また、ＰＣＢ２４０は各構成部品及び外部回路に接続する導電性トレース（図示せず）を備える。
【００４７】
選択的に、照明センサ２４３の採光部品は、ハウジング２２０の透明領域に対応し、またはハウジング２２０から露出している。選択的に、照明センナ２４３は、測定可能な照度が１００,０００ルクス（Ｌｕｘ）であり、照度の測定精度が１００ルクスである。
【００４８】
選択的に、温度センサ２４４はＰＣＢ２４０に配置されたサーミスタである。選択的に、この温度センサ２４４の測定可能範囲は摂氏−２０度から摂氏５０度である。測定精度は摂氏±０．５度である。
【００４９】
選択的に、植物モニタ１４０は土壌に挿入するように構成されている挿入アーム２４７を備える。挿入アーム２４７はハウジング２２０の外に延びたＰＣＢ２４０の一部によって形成される。選択的に、２つの挿入アーム２４７が並列に配置される。ＰＣＢ２４０は耐食性を有するため、金属製の挿入アームに比べて、PCBの挿入アーム２４７が長期間土壌に挿入されても耐食性を保たれる。
【００５０】
選択的に、湿度センサ２４５は挿入アーム２４７に配置されている。湿度センサ２４５は土壌湿度を採取するように構成されている。
【００５１】
選択的に、土壌導電率センサ２４６は２つの金属電極２４６ａを備える。この２つの金属電極２４６ａは挿入アーム２４７に配置されている。２つの挿入アーム２４７が並列に配置される場合、各挿入アーム２４７には１つの金属電極２４６ａが配置されている。
【００５２】
当業者は、植物モニタ１４０が前述図示より多くのまたは少ない部品を備えることができることを理解すべきである。例えば、植物モニタ１４０は、植物モニタ１４０の各部品に電力を提供する電源をさらに備えてもよい。電源はコイン形電池または充電電池であってもよい。
【００５３】
結論を言うと、本実施形態は植物モニタを提供し、少なくとも１の生長環境モニタリングセンサによって植物の生長環境データを採取するため、移動端末は生長環境データに基づいて植物栽培参考情報を生成することができる。したがって、ユーザが観賞植物の生長習性を知らない状況では観賞植物を良い状態に栽培することが難しいという問題を解決することができる。また、ユーザが観賞植物の生長習性を知らなくても、植物の生長環境が適切であるかをユーザ自身が判断しなくても、植物モニタを植物生長土壌に挿入するだけで植物栽培参考情報を取得することができるという効果を達成できる。
【００５４】
図３は本開示の例示的な実施形態に基づく情報生成方法を示すフローチャートである。本実施形態は、情報生成方法を図１に示された植物モニタスステムに適用することによって例示的に説明される。この方法は下記ステップを備える。
【００５５】
ステップ３０１において、植物モニタは、生長環境モニタリングセンサによって採取された生長環境データを取得する。
【００５６】
選択的に、生長環境データは少なくとも１つの照明データ、温度データ、土壌湿度データまたはｐＨ値を備える。
【００５７】
ステップ３０２において、植物モニタは無線通信チップを介して生長環境データを移動端末に送信する。
【００５８】
選択的に、植物モニタは所定時間ごとに無線通信チップを介して生長環境データを移動端末に送信する。選択的に、生長環境データが変わったとモニタリングする時に、植物モニタは無線通信チップを介して生長環境データを移動端末に送信する。選択的に、移動端末からのデータリクエストを受信する時に、植物モニタは無線通信チップを介して生長環境データを移動端末に送信する。
【００５９】
ステップ３０３において、移動端末は植物モニタが送信した生長環境データを受信する。
【００６０】
ステップ３０４において、移動端末は生長環境データに基づいて植物栽培参考情報を生成する。
【００６１】
選択的に、植物栽培参考情報は、照度を上げることについて注意を喚起するように構成されている情報と、照度を下げることについて注意を喚起するように構成されている情報と、温度を上げることについて注意を喚起するように構成されている情報と、温度を下げることについて注意を喚起するように構成されている情報と、水を供給することについて注意を喚起するように構成されている情報と、通風することについて注意を喚起するように構成されている情報と、アルカリ性肥料を供給することについて注意を喚起するように構成されている情報と、酸性肥料を供給することについて注意を喚起するように構成されている情報と、第１元素肥料を供給することについて注意を喚起するように構成されている情報と、第２元素肥料を供給することについて注意を喚起するように構成されている情報と、を含む。
【００６２】
第１元素肥料は酸性の土壌における吸収率が所定条件より低い肥料である。第２元素肥料はアルカリ性の土壌における吸収率が所定条件より低い肥料である。
【００６３】
結論を言うと、本実施形態は情報生成方法を提供し、少なくとも１の生長環境モニタリングセンサによって植物の生長環境データを採取し、無線通信チップを介して生長環境データを移動端末に送信するため、移動端末は生長環境データに基づいて植物栽培参考情報を生成することができる。したがって、ユーザが観賞植物の生長習性を知らない状況では観賞植物を良い状態に栽培することが難しいという問題を解決することができる。また、ユーザが観賞植物の生長習性を知らなくても、植物の生長環境が適切であるかをユーザ自身が判断しなくても、植物モニタを植物生長土壌に挿入するだけで植物栽培参考情報を取得することができるという効果を達成できる。
【００６４】
図４は本開示の例示的な実施形態に基づくもう１つの情報生成方法を示すフローチャートである。本実施形態は、情報生成方法を図１に示された植物モニタシステムに適用することによって例示的に説明される。この方法は下記ステップを備える。
【００６５】
ステップ４０１において、移動端末は植物モニタとバインディング関係を確立する。
【００６６】
選択的に、移動端末は下記手順で植物モニタとバインディング関係を確立する。
【００６７】
１．植物モニタが最初の起動後、ブルートゥース（登録商標）のブロードキャストメッセージを送信する。
【００６８】
２．移動端末はブルートゥース（登録商標）のブロードキャストメッセージを受信し、ブルートゥース（登録商標）のブロードキャストメッセージに基づいて植物モニタの識別子を取得する。
【００６９】
３．移動端末はこの植物モニタの識別子を自身とバインディングする。
【００７０】
バインディング後、移動端末はバインディングした植物モニタのみから生長環境データを受信する。
【００７１】
本開示の実施形態はバインディングプロセスの具体的な手順について制限しない。
【００７２】
ステップ４０２において、移動端末は植物モニタに対応する予定植物を記録する。
【００７３】
選択的に、バインディングプロセスにおいて、移動端末は、植物モニタに対応する予定植物を入力することをユーザに要求するように、情報入力インターフェースを表示する。予定植物は植物モニタがモニタリングする生長環境における植物である。
【００７４】
図５Ａに示されているように、植物モニタとバインディングした後、ユーザに植物モニタに対応する予定植物を入力させるために、移動端末５１は植物選択肢５２を含む情報入力インターフェースを表示する。
【００７５】
ステップ４０３において、植物モニタは生長環境モニタリングセンサによって採取された生長環境データを取得する。
【００７６】
選択的に、生長環境データは少なくとも１つの照明データ、温度データ、土壌湿度データ、またはｐＨ値を含む。
【００７７】
ステップ４０４において、植物モニタは無線通信チップを介して生長環境データを移動端末に送信する。
【００７８】
選択的に、植物モニタは所定時間ごとに無線通信チップを介して生長環境データを移動端末に送信する。
【００７９】
選択的に、生長環境データが変わったとモニタリングする時に、植物モニタは無線通信チップを介して生長環境データを移動端末に送信する。
【００８０】
選択的に、移動端末からのデータリクエストを受信する時に、植物モニタは無線通信チップを介して生長環境データを移動端末に送信する。選択的に、移動端末は、所定時間ごとにまたは植物栽培タイプのアプリケーションが起動される時に、データリクエストを送信する。
【００８１】
選択的に、その予定時間は１５分間、３０分間、１時間、２時間、４時間などである。
【００８２】
ステップ４０５において、移動端末は植物モニタが送信した生長環境データを受信する。
【００８３】
選択的に、移動端末は無線通信チップを介して、植物モニタが送信した生長環境データを受信する。
【００８４】
ステップ４０６において、移動端末は予定植物に対応する参考環境データを取得する。
【００８５】
選択的に、予定植物はユーザが前に設定した植物である。予定植物は植物モニタがモニタリングする生長環境における植物でもある。
【００８６】
選択的に、異なる植物は各自の参考環境データに対応する。選択的な実施形態において、各植物は成長段階に応じる異なった参考環境データを有する。
【００８７】
選択的に、予定植物に対応する参考環境データは、少なくとも１つの参考照明データ、参考温度データ、参考土壌湿度データ、または参考ｐＨ値を含む。
【００８８】
ステップ４０７において、移動端末は生長環境データを参考環境データと比較する。
【００８９】
移動端末は、生長環境データ、生長環境データの統計値、または生長環境データの変換値を参考環境データと比較する。
【００９０】
選択的に、生長環境データが照明データを含む場合、照明データまたは照明データの統計値は、最大照度、平均照度、最小照度、一日内の照射時間、日平均照度、日平均照射時間、週平均照度、週平均照射時間、月平均照度、及び月平均照射時間のうちに少なくとも１つを含む。
【００９１】
選択的に、生長環境データが温度データを含む場合、温度データまたは温度データの統計値は、最高温度、平均温度、最低温度、日中平均温度、夜間平均温度、週平均温度、及び月平均温度のうちに少なくとも１つを含む。
【００９２】
選択的に、生長環境データが土壌湿度データを含む場合、土壌湿度データまたは土壌湿度データの統計値は、最高土壌湿度、平均土壌湿度、最低土壌湿度、日中平均土壌湿度、夜間平均土壌湿度、週平均土壌湿度及び月平均土壌湿度のうちに少なくとも１つを含む。
【００９３】
選択的に、生長環境データが土壌導電率を含む場合、土壌導電率、土壌導電率の統計値、または土壌導電率の変換値は、土壌塩度、土壌ｐＨ値、土壌肥沃度、日平均土壌塩度、日平均土壌ｐＨ値、日平均土壌肥沃度、週平均土壌塩度、週平均土壌ｐＨ値、週平均土壌肥沃度、月平均土壌塩度、月平均土壌ｐＨ値及び月平均土壌肥沃度のうちに少なくとも１つを含む。
【００９４】
土壌導電率と土壌塩度との間、土壌導電率と土壌ｐＨ値との間、土壌導電率と土壌肥沃度との間には、それぞれ変換関係を有する。これらの変換関係は関数、曲線、データ表などの形で示されてもよい。
【００９５】
移動端末は、生長環境データにおける様々なデータを、参考環境データにおける対応のデータと比較する。
【００９６】
ステップ４０８において、移動端末は比較結果に基づいて植物栽培参考情報を生成する。
【００９７】
ステップ４０９において、移動端末は植物栽培参考情報をユーザに表示する。
【００９８】
移動端末は植物栽培参考情報を植物栽培タイプのアプリケーションに表示する。例示的に、植物栽培参考情報は、照明が充分であること、水分が充分であること、温度が充分であること、肥沃度が足りていないことなどを含む。
【００９９】
選択的に、図５Ｂとともに参照すると、移動端末は植物栽培参考情報と誘導入口（guidance entrance）５４を一緒にグラフィカルユーザインターフェースに表示する。誘導入口５４は、誘導入口は、栽培道具を購入するための入口、肥料を購入するための入口、栽培掲示板へ移動するための入口または栽培技術ウェブページへ移動するための入口のうちの少なくとも１つを含む。
【０１００】
結論を言うと、本実施形態に提供される情報生成方法において、移動端末は植物の生長環境データを、この植物に対応する参考環境データと比較して、比較結果に基づいて植物栽培参考情報を生成することができる。したがって、各種の植物に対して当該種類の植物に対応する参考環境データを生成し、植物栽培参考情報が高度の参加価値を有する効果を達成できる。
【０１０１】
選択的な実施形態において、生長環境データは照明データを備え、参考環境データは第１閾値と第２閾値とを備え、第１閾値は第２閾値より小さい。
【０１０２】
図６に示された下記ステップを、ステップ４０７及びステップ４０８の代わりに実行することができる。
【０１０３】
ステップ６０７において、照明データもしくは照明データの統計値を第１閾値と比較し、及び／または照明データもしくは照明データの統計値を第２閾値と比較する。
【０１０４】
例えば、照明データは日平均照射時間であり、第１閾値は最小日平均照射時間であり、第２閾値は最大日平均照射時間である。
【０１０５】
ステップ６０８ａにおいて、照明データもしくは照明データの統計値が第１閾値より低い場合、第１植物栽培参考情報を生成し、第１植物栽培参考情報は照度を上げることについて注意を喚起するように構成されている。
【０１０６】
ステップ６０８ｂにおいて、照明データもしくは照明データの統計値が第１閾値より高く第２閾値より低い場合、照明が適切であることを表示するように構成されている植物栽培参考情報を生成する。
【０１０７】
ステップ６０８ｃにおいて、照明データもしくは照明データの統計値が第２閾値より高い場合、第２植物栽培参考情報を生成し、第２植物栽培参考情報は照度を下げることについて注意を喚起するように構成されている。
【０１０８】
結論を言うと、本実施形態に提供される情報生成方法は、照明データを第１閾値及び第２閾値と比較することによって、照明に関する植物栽培参考情報を生成することができるため、照明不足または過度照明によって植物の生長が妨げられることは避けられる。
【０１０９】
選択的な実施形態において、生長環境データは温度データを備え、参考環境データは第１温度と第２温度とを備え、第１温度は第２温度より低い。
【０１１０】
図７に示された下記ステップを、ステップ４０７及びステップ４０８の代わりに実行することができる。
【０１１１】
ステップ７０７において、温度データもしくは温度データの統計値を第１温度と比較し、及び／または温度データもしくは温度データの統計値を第２温度と比較する。
【０１１２】
例えば、温度データは日平均温度であり、第１温度は最小日平均温度であり、第２温度は最大日平均温度ある。
【０１１３】
ステップ７０８ａにおいて、温度データもしくは温度データの統計値が第１温度より低い場合、第３植物栽培参考情報を生成し、第３植物栽培参考情報は温度を上げることについて注意を喚起するように構成されている。
【０１１４】
ステップ７０８ｂにおいて、温度データもしくは温度データの統計値が第１温度より高く第２温度より低い場合、温度が適切であることを表示するように構成されている植物栽培参考情報を生成する。
【０１１５】
ステップ７０８ｃにおいて、温度データもしくは温度データの統計値が第２温度より高い場合、第４植物栽培参考情報を生成し、第４植物栽培参考情報は温度を下げることについて注意を喚起するように構成されている。
【０１１６】
結論を言うと、本実施形態に提供される情報生成方法は、温度データを第１温度及び第２温度と比較することによって、温度に関する植物栽培参考情報を生成することができるため、低すぎる温度または高すぎる温度によって植物の生長が妨げられることは避けられる。
【０１１７】
選択的な実施形態において、生長環境データは土壌湿度データを備え、参考環境データは第１湿度と第２湿度とを備え、第１湿度は第２湿度より小さい。
【０１１８】
図８に示された下記ステップを、ステップ４０７及びステップ４０８の代わりに実行することができる。
【０１１９】
ステップ８０７において、土壌湿度データもしくは土壌湿度データの統計値を第１湿度と比較し、及び／または土壌湿度データもしくは土壌湿度データの統計値を第２湿度と比較する。
【０１２０】
例えば、土壌湿度データは日平均湿度であり、第１温度は最小日平均湿度であり、第２温度は最大日平均湿度ある。
【０１２１】
ステップ８０８ａにおいて、土壌湿度データもしくは土壌湿度データの統計値が第１湿度より低い場合、第５植物栽培参考情報を生成し、第５植物栽培参考情報は水を供給することについて注意を喚起するように構成されている。
【０１２２】
ステップ８０８ｂにおいて、土壌湿度データもしくは土壌湿度データの統計値が第１湿度より高く第２湿度より低い場合、水分が適切であることを表示するように構成されている植物栽培参考情報を生成する。
【０１２３】
ステップ８０８ｃにおいて、土壌湿度データもしくは土壌湿度データの統計値が第２湿度より高い場合、第６植物栽培参考情報を生成し、第６植物栽培参考情報は通風することについて注意を喚起するように構成されている。
【０１２４】
結論を言うと、本実施形態に提供される情報生成方法は、土壌湿度データを第１湿度及び第２湿度と比較することによって、水分に関する植物栽培参考情報を生成することができるため、少なすぎる水分または多すぎる水分によって植物の生長が妨げられることは避けられる。
【０１２５】
選択的な実施形態において、生長環境データは土壌ｐＨ値を備え、参考環境データは第１ｐＨ値と第２ｐＨ値とを備え、第１ｐＨ値は第２ｐＨ値より小さい。
【０１２６】
図９に示された下記ステップを、ステップ４０７及びステップ４０８の代わりに実行することができる。
【０１２７】
ステップ９０７において、土壌ｐＨ値もしくは土壌ｐＨ値の統計値を第１ｐＨ値と比較し、及び／または土壌ｐＨ値もしくは土壌ｐＨ値の統計値を第２ｐＨ値と比較する。
【０１２８】
土壌ｐＨ値は土壌導電率から変換される。例えば、土壌ｐＨ値は日平均ｐＨ値であり、第１ｐＨ値は当該植物に対して酸性側のｐＨ閾値であり、第２ｐＨ値は当該植物に対してアルカリ性側のｐＨ閾値である。
【０１２９】
ステップ９０８ａにおいて、土壌ｐＨ値もしくは土壌ｐＨ値の統計値が第１ｐＨ値より低い場合、第７植物栽培参考情報を生成し、第７植物栽培参考情報はアルカリ性肥料を供給することについて注意を喚起するように構成されている。
【０１３０】
ステップ９０８ｂにおいて、土壌ｐＨ値もしくは土壌ｐＨ値の統計値が第１ｐＨ値より高く第２ｐＨ値より低い場合、肥沃度が適切であることを表示するように構成されている植物栽培参考情報を生成する。
【０１３１】
ステップ９０８ｃにおいて、土壌ｐＨ値もしくは土壌ｐＨ値の統計値が第２ｐＨ値より高い場合、第８植物栽培参考情報を生成し、第８植物栽培参考情報は酸性肥料を供給することについて注意を喚起するように構成されている。
【０１３２】
結論を言うと、本実施形態に提供される情報生成方法は、土壌ｐＨ値を第１ｐＨ値及び第２ｐＨ値と比較することによって、酸性またはアルカリ性の肥料に関する植物栽培参考情報を生成することができるため、少なすぎるまたは多すぎるある種の肥料によって植物の生長が妨げられることは避けられる。
【０１３３】
選択的な実施形態において、生長環境データは土壌ｐＨ値を備え、参考環境データは第３ｐＨ値と第４ｐＨ値とを備え、第３ｐＨ値は第４ｐＨ値より小さい。
【０１３４】
図１０に示された下記ステップを、ステップ４０７及びステップ４０８の代わりに実行することができる。
【０１３５】
ステップ１００７において、土壌ｐＨ値もしくは土壌ｐＨ値の統計値を第３ｐＨ値と比較し、及び／または土壌ｐＨ値もしくは土壌ｐＨ値の統計値を第４ｐＨ値と比較する。
【０１３６】
土壌ｐＨ値は土壌導電率から変換される。例えば、土壌ｐＨ値は日平均ｐＨ値であり、第３ｐＨ値は当該植物に対して酸性側のｐＨ閾値であり、第４ｐＨ値は当該植物に対してアルカリ性側のｐＨ閾値である。
【０１３７】
ステップ１００８ａにおいて、土壌ｐＨ値もしくは土壌ｐＨ値の統計値が第３ｐＨ値より低い場合、第９植物栽培参考情報を生成し、第９植物栽培参考情報は酸性の土壌における吸収率が所定条件より低い第１元素肥料を供給することについて注意を喚起するように構成されている。
【０１３８】
例えば、酸性土壌にある植物がＮ、Ｐ、Ｋなどの栄養素をよく吸収できなく正常に生長できない場合、Ｎ、Ｐ、Ｋなどの栄養素が豊富の肥料を供給するようにユーザに勧めることができる。
【０１３９】
ステップ１００８ｂにおいて、土壌ｐＨ値もしくは土壌ｐＨ値の統計値が第３ｐＨ値より高く第４ｐＨ値より低い場合、肥沃度が適切であることを表示するように構成されている植物栽培参考情報を生成する。
【０１４０】
ステップ１００８ｃにおいて、土壌ｐＨ値もしくは土壌ｐＨ値の統計値が第４ｐＨ値より高い場合、第１０植物栽培参考情報を生成し、第１０植物栽培参考情報はアルカリ性の土壌における吸収率が所定条件より低い第２元素肥料を供給することについて注意を喚起するように構成されている。
【０１４１】
結論を言うと、本実施形態に提供される情報生成方法は、土壌ｐＨ値を第３ｐＨ値及び第４ｐＨ値と比較することによって、酸性またはアルカリ性の肥料に関する植物栽培参考情報を生成することができるため、少なすぎるまたは多すぎるある種の肥料によって植物の生長が妨げられることは避けられる。
【０１４２】
注意されるべきなのは、前述例示的な実施形態は互いに組み合わせるように実施することができ、本開示の実施形態はそれを制限しない。
【０１４３】
注意されるべきなのは、各前述例示的な方法の実施形態において植物モニタに実行されるステップは、植物モニタ側の情報送信方法として単独で実現でき、各前述例示的な方法の実施形態において移動端末に実行されるステップは、移動端末側の情報表示方法として単独で実現できる。
【０１４４】
以下は本開示の装置の実施形態であり、開示される方法の実施形態の実施に用いられる。装置の実施形態に開示されていない詳細については、本開示の方法の実施形態に参照するとよい。
【０１４５】
上記実施形態における装置について、各モジュールが操作を実行する具体的な操作方法は、方法にかかる実施形態に詳細に説明されたので、ここでは詳細に説明しない。
【０１４６】
図１１Ａは本開示の例示的な実施形態に基づく情報生成装置を示すブロック図である。情報生成装置は、専用のハードウェア回路またはハードウェアとソフトウエアとの組み合わせによって、移動端末の全体または一部として実現される。この装置は受信１１２０と生成モジュール１１４０とを備える。
【０１４７】
受信モジュール１１２０は植物モニタが送った生長環境データを受信するように構成されており、生長環境データは植物モニタが生長環境モニタリングセンサによって採取されるものであり、生長環境モニタリングセンサは、照明センサ、温度センサ、湿度センサ及び土壌導電率センサのうちの少なくとも１つを備える。
【０１４８】
生成モジュール１１４０は生長環境データに基づいて植物栽培参考情報を生成するように構成されている。
【０１４９】
結論を言うと、本実施形態は情報生成装置を提供し、少なくとも１の生長環境モニタリングセンサによって植物の生長環境データを採取し、無線通信チップを介して生長環境データを移動端末に送信するため、移動端末は生長環境データに基づいて植物栽培参考情報を生成することができる。したがって、ユーザが観賞植物の生長習性を知らない状況では観賞植物を良い状態に栽培することが難しいという問題を解決することができる。また、ユーザが観賞植物の生長習性を知らなくても、植物の生長環境が適切であるかをユーザ自身が判断しなくても、植物モニタを植物生長土壌に挿入するだけで植物栽培参考情報を取得することができるという効果を達成できる。
【０１５０】
選択的な実施形態において、図１１Ｂを参照すると、生成モジュール１１４０は、取得サブモジュール１１４２と、比較サブモジュール１１４４と、生成サブモジュール１１４６とを備える。
【０１５１】
取得サブモジュール１１４２は予定植物に対応する参考環境データを取得するように構成されている。
【０１５２】
比較サブモジュール１１４４は生長環境データを参考環境データと比較するように構成されている。
【０１５３】
生成サブモジュール１１４６は比較結果に基づいて植物栽培参考情報を生成するように構成されている。
【０１５４】
選択的な実施形態において、生長環境データは照明データを備え、参考環境データは第１閾値と第２閾値とを備え、第１閾値は第２閾値より小さい。
【０１５５】
選択的な実施形態において、生成サブモジュール１１４６は、照明データまたは照明データの統計値が第１閾値より小さい場合、第１植物栽培参考情報を生成するように構成されており、第１植物栽培参考情報は照度を上げることについて注意を喚起するように構成されている。生成サブモジュール１１４６は、照明データまたは照明データの統計値が第２閾値より大きい場合、第２植物栽培参考情報を生成するように構成されており、第２植物栽培参考情報は照度を下げることについて注意を喚起するように構成されている。
【０１５６】
選択的な実施形態において、生長環境データは温度データを備え、参考環境データは第１温度と第２温度とを備え、第１温度は第２温度より低い。
【０１５７】
生成サブモジュール１１４６は、温度データまたは温度データの統計値が第１温度より低い場合、第３植物栽培参考情報を生成するように構成されており、第３植物栽培参考情報は温度を上げることについて注意を喚起するように構成されている。生成サブモジュール１１４６は、温度データまたは温度データの統計値が第２温度より高い場合、第４植物栽培参考情報を生成するように構成されており、第４植物栽培参考情報は温度を下げることについて注意を喚起するように構成されている。
【０１５８】
選択的な実施形態において、生長環境データは土壌湿度データを備え、参考環境データは第１湿度と第２湿度とを備え、第１湿度は第２湿度より小さい。
【０１５９】
生成サブモジュール１１４６は、土壌湿度データまたは土壌湿度データの統計値が第１湿度より低い場合、第５植物栽培参考情報を生成するように構成されており、第５植物栽培参考情報は水を供給することについて注意を喚起するように構成されている。生成サブモジュール１１４６は、土壌湿度データまたは土壌湿度データの統計値が第２湿度より高い場合、第６植物栽培参考情報を生成するように構成されており、第６植物栽培参考情報は通風することについて注意を喚起するように構成されている。
【０１６０】
選択的な実施形態において、生長環境データは土壌ｐＨ値を備え、土壌ｐＨ値は土壌導電率に基づく計算により取得され、参考環境データは第１ｐＨ値と第２ｐＨ値とを備え、第１ｐＨ値は第２ｐＨ値より小さい。
【０１６１】
生成サブモジュール１１４６は、土壌ｐＨ値または土壌ｐＨ値の統計値が第１ｐＨ値より小さい場合、第７植物栽培参考情報を生成するように構成されており、第７植物栽培参考情報はアルカリ性肥料を供給することについて注意を喚起するように構成されている。生成サブモジュール１１４６は、土壌ｐＨ値または土壌ｐＨ値の統計値が第２ｐＨ値より大きい場合、第８植物栽培参考情報を生成するように構成されており、第８植物栽培参考情報は酸性肥料を供給することについて注意を喚起するように構成されている。
【０１６２】
選択的な実施形態において、生長環境データは土壌ｐＨ値を備え、土壌ｐＨ値は土壌導電率に基づく計算により取得され、参考環境データは第３ｐＨ値と第４ｐＨ値とを備え、第３ｐＨ値は第４ｐＨ値より小さい。
【０１６３】
生成サブモジュール１１４６は、土壌ｐＨ値または土壌ｐＨ値の統計値が第３ｐＨ値より小さい場合、第９植物栽培参考情報を生成するように構成されており、第９植物栽培参考情報は酸性の土壌における吸収率が所定条件より低い第１元素肥料を供給することについて注意を喚起するように構成されている。生成サブモジュール１１４６は、土壌ｐＨ値または土壌ｐＨ値の統計値が第４ｐＨ値より大きい場合、第１０植物栽培参考情報を生成するように構成されており、第１０植物栽培参考情報はアルカリ性の土壌における吸収率が所定条件より低い第２元素肥料を供給することについて注意を喚起するように構成されている。
【０１６４】
選択的な実施形態において、図１１Ｂを参照すると、装置はバインディングモジュール１１１２と記録モジュール１１１４とをさらに備える。
【０１６５】
バインディングモジュール１１１２は植物モニタとバインディング関係を確立するように構成されている。
【０１６６】
記録モジュール１１１４は植物モニタに対応する予定植物を記録するように構成されている。
【０１６７】
選択的な実施形態において、図１１Ｂを参照すると、装置は表示モジュール１１６０とをさらに備える。
【０１６８】
表示モジュール１１６０は、植物栽培参考情報と誘導入口とをグラフィカルユーザインターフェースに表示するように構成されており、誘導入口は少なくとも１つの栽培道具を購入するための入口、肥料を購入するための入口、栽培掲示板へ移動するための入口または栽培技術ウェブページへ移動するための入口を備える。
【０１６９】
図１２は本開示の例示的な実施形態に基づく移動端末を示すブロック図である。例えば、移動端末１２００は、携帯電話、コンピュータ、デジタル放送端末、情報送受信端末、ゲーム機、タブレット装置、医療装置、ダイエット器具、ＰＤＡ（Ｐｅｒｓｏｎａｌ  Ｄｉｇｉｔａｌ  Ａｓｓｉｓｔａｎｔ）などであってもよい。
【０１７０】
図１２に示すように、移動端末１２００は、１または複数の構成部を備えており、処理部１２０２、メモリ１２０４、電源部１２０６、マルチメディア部１２０８、音声部１２１０、入出力（Ｉ／Ｏ）インターフェース１２１２、センサ部１２１４、および、通信部１２１６を備える。
【０１７１】
処理部１２０２は、主として、移動端末１２００の全体的な動作、例えば、画面、電話、データ通信、カメラ動作、および記憶動作を制御する。処理部１２０２は、上述した方法において全てまたは一部のステップを行う指令を実行する１または複数のプロセッサ１２２０を含んでもよい。また、処理部１２０２は、処理部１２０２と他の構成部との間の相互作用を容易にするような１または複数のモジュールを含んでもよい。例えば、処理部１２０２は、マルチメディア部１２０８と処理部１２０２との間の相互作用を促させるマルチメディアモジュールを含んでもよい。
【０１７２】
メモリ１２０４は、移動端末１２００の動作を支援する様々な種類のデータを記憶する。そのようなデータの例としては、移動端末１２００を動作させるアプリケーションや方法のための指令、接続データ、電話帳データ、メッセージ、画像、動画などが含まれる。メモリ１２０４は、あらゆる種類の揮発性もしくは不揮発性メモリ装置、または、それらの組み合わせを用いることによって構成されてもよい。例えば、スタティックＲＡＭ（ＳＲＡＭ）、電気的消去可能ＰＲＯＭ（ＥＥＰＲＯＭ）、消去可能ＰＲＯＭ（ＥＰＲＯＭ）、プログラム可能型読み取り専用メモリ（ＰＲＯＭ）、読み取り専用メモリ（ＲＯＭ）、磁気メモリ、フラッシュメモリ、磁気もしくは光学ディスクであってもよい。
【０１７３】
電源部１２０６は、移動端末１２００の様々な構成部へ電力を供給する。電源部１２０６は、パワーマネジメントシステム、１または複数の電源、および、移動端末１２００の電源、パワーマネジメント、電力分配に関係するその他の構成要素を含んでもよい。
【０１７４】
マルチメディア部１２０８は、移動端末１２００とユーザとの間の出力インターフェースを提供する画面を含む。いくつかの実施の形態では、画面は、液晶画面（ＬＣＤ）およびタッチパネル（ＴＰ）を含んでもよい。画面がタッチパネルを含む場合には、画面はユーザからの入力信号を受け取るタッチ画面となる。タッチパネルは、タッチパネルにおけるタッチ、スワイプ、およびジェスチャーを感知する１または複数のタッチセンサを備える。タッチセンサは、タッチやスワイプ操作の境界を感知するたけでなく、タッチやスワイプ操作に関係した操作時間および圧力を感知してもよい。いくつかの実施の形態において、マルチメディア部１２０８は、フロントカメラおよび／またはリアカメラを備える。移動端末１２００が、撮像モードや動画モードなどオペレーションモードにある場合に、フロントカメラおよびリアカメラは外部マルチメディアデータを受け取ってもよい。フロントカメラおよびリアカメラのそれぞれは、光学レンズシステムが固定されていてもよく、また、ピント機能および光学ズーム機能を有していてもよい。
【０１７５】
音声部１２１０は、音声信号を出力および／または入力する。例えば、音声部１２１０は、移動端末１２００が、電話モード、録音モード、および音声認識モードのようなオペレーションモードにある場合に、外部音声信号を受け取るマイク（ＭＩＣ）を備える。受信した音声信号は、メモリ１２０４に記憶される、または、通信部１２１６を通じて伝送される。いくつかの実施の形態では、音声部１２１０は、音声信号を出力するスピーカをさらに備える。
【０１７６】
Ｉ／Ｏインターフェース１２１２は、処理部１２０２と周囲のインターフェースモジュールとの間のインターフェースとして、例えば、キーボード、クリックホイール、およびボタンなどのインターフェースを提供する。ボタンとしては、限定されないが、ホームボタン、ボリュームボタン、スタートボタン、およびロックボタンを含んでもよい。
【０１７７】
センサ部１２１４は、移動端末１２００の様々な態様の状態評価を提供するような１または複数のセンサを含む。例えば、センサ部１２１４は、移動端末１２００のオープン／クローズド状態、移動端末１２００の構成部、例えば、画面とキーボードの相対位置、移動端末１２００自体または移動端末１２００の構成部の位置変化、移動端末１２００へのユーザコンタクトの有無、移動端末１２００の向きや加速度／減速度、および移動端末１２００の温度変化を検出してもよい。センサ部１２１４は、物理的接触無しで近くの対象物の存在を検出するような近接センサを含んでもよい。センサ部１２１４は、画像アプリケーションに用いられるＣＭＯＳやＣＣＤなどの光センサを含んでもよい。いくつかの実施の形態では、センサ部１２１４は、加速度センサ、ジャイロセンサ、磁気センサ、圧力センサ、または温度センサを含んでもよい。
【０１７８】
通信部１２１６は、移動端末１２００と他の装置との間の有線または無線の通信を行う。移動端末１２００は、例えば、ＷｉＦｉ、２Ｇ、もしくは３Ｇ、または、それらの組み合わせのような通信規格に基づく無線ネットワークにアクセスすることができる。１つの例示的な実施の形態において、通信部１２１６は、放送チャンネルを通じて、外部放送マネジメントシステムから放送信号または放送関連情報を受信する。１つの例示的な実施の形態において、通信部１２１６は、近距離の通信に役立つ近距離無線通信（ＮＦＣ）モジュールを含む。例えば、ＮＦＣモジュールは、無線自動識別（ＲＦＩＤ）技術、赤外線通信規格（ＩｒＤＡ）技術、超広域帯（ＵＷＢ）技術、ブルートゥース（登録商標）（ＢＴ）技術、および他の技術に基づくようなものであってもよい。
【０１７９】
例示的な実施の形態において、移動端末１２００は、上述した方法を実行するための、特定用途向け集積回路（ＡＳＩＣｓ）、デジタル・シグナル・プロセッサ（ＤＳＰｓ）、デジタル・シグナル処理装置（ＤＳＰＤｓ）、プログラム可能論理回路（ＰＬＤｓ）、フィールド・プログラマブル・ゲート・アレイ（ＦＰＧＡｓ）、コントローラ、マイクロコントローラ、マイクロプロセッサ、または他の電子構成要素によって構成されてもよい。
【０１８０】
例示的な実施の形態において、一時的でないコンピュータ読み取り可能記憶媒体は、上述の方法を実行するために、メモリ１２０４に記憶され、移動端末１２００のプロセッサ１２２０によって実行可能な指令を含む。例えば、一時的でないコンピュータ読み取り可能記憶媒体は、ＲＯＭ、ＲＡＭ、ＣＤ−ＲＯＭ、磁気テープ、磁気ディスク、光学データ記憶装置などであってもよい。
【０１８１】
当業者にとっては、本発明の他の実施形態は、ここで開示された本発明の明細書及び実施態様から明らかである。本願は、本発明の一般的原則に従い、かつ当該技術分野において知られ、又は慣行的に実施されている範囲内での本開示からの逸脱を含む、本発明の変形、使用、又は適用をカバーすることを意図している。明細書及び実施例は、例示的なもののみが考慮されているが、本発明の真の範囲及び精神は、以下の特許請求の範囲によって示されることが意図されている。
【０１８２】
本発明は、上述され、かつ添付の図面に示された厳密な構成に限定されるものではなく、本発明の範囲から逸脱することなく様々な修正及び変更が可能であることは明らかである。本発明の範囲は、添付の特許請求の範囲によってのみ限定されることが意図されている。
【図１】
2019513369.tif 000003
【図２Ａ】
2019513369.tif 000004
【図２Ｂ】
2019513369.tif 000005
【図３】
2019513369.tif 000006
【図４】
2019513369.tif 000007
【図５Ａ】
2019513369.tif 000008
【図５Ｂ】
2019513369.tif 000009
【図６】
2019513369.tif 000010
【図７】
2019513369.tif 000011
【図８】
2019513369.tif 000012
【図９】
2019513369.tif 000013
【図１０】
2019513369.tif 000014
【図１１Ａ】
2019513369.tif 000015
【図１１Ｂ】
2019513369.tif 000016
【図１２】
2019513369.tif 000017
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
主制御チップと、前記主制御チップに接続している無線通信チップと、前記主制御チッに接続している少なくとも１つの生長環境モニタリングセンサとを備える植物モニタであって、
前記少なくとも１つの生長環境モニタリングセンサは、照明センサ、温度センサ、湿度センサ及び土壌導電率センサのうちの少なくとも１つを備え、
前記主制御チップは、前記生長環境モニタリングセンサによって採取される生長環境データを取得し、前記無線通信チップを介して前記生長環境データを移動端末に送信し、前記移動端末に前記生長環境データに基づいて植物栽培参考情報を生成させるように構成されている植物モニタ。
【請求項２】
前記植物モニタは、土壌に挿入するように構成されている挿入アームをさらに備え、
前記湿度センサは、前記挿入アームに配置されており、土壌の湿度を採取するように構成されている請求項１に記載の植物モニタ。
【請求項３】
前記植物モニタは、土壌に挿入するように構成されている挿入アームをさらに備え、
前記土壌導電率センサは２つの金属電極を備え、前記２つの金属電極は前述挿入アームに配置されている請求項１または２に記載の植物モニタ。
【請求項４】
並列に配置される２つの前記挿入アームが備えられ、各前記の挿入アームには１つの前記金属電極が配置されている請求項１から３のいずれかの１つに記載の植物モニタ。
【請求項５】
前記主制御チップはさらに前記無線通信チップを介して前記移動端末とバインディング関係を確立するように構成されている請求項１から４のいずれかの１つに記載の植物モニタ。
【請求項６】
植物モニタが送信した生長環境データを受信するステップと、
前記生長環境データに基づいて植物栽培参考情報を生成するステップと、を備え、
前記生長環境データは前記植物モニタが生長環境モニタリングセンサによって採取されるものであり、前記生長環境モニタリングセンサは、照明センサ、温度センサ、湿度センサ及び土壌導電率センサのうちの少なくとも１つを備える情報生成方法。
【請求項７】
前記生長環境データに基づいて植物栽培参考情報を生成するステップは、
予定植物に対応する参考環境データを取得するステップと、
前記生長環境データを前記参考環境データと比較するステップと、
比較結果に基づいて前記植物栽培参考情報を生成するステップと、を備える請求項６に記載の情報生成方法。
【請求項８】
前記生長環境データは照明データを備え、前記参考環境データは第１閾値と第２閾値とを備え、前記第１閾値は前記第２閾値より小さく、
前記比較結果に基づいて前記植物栽培参考情報を生成するステップは、
前記照明データまたは前記照明データの統計値が前記第１閾値より小さい場合、照度を上げることを注意するように構成されている第１植物栽培参考情報を生成するステップと、
前記照明データまたは前記照明データの統計値が前記第２閾値より大きい場合、照度を下げることを注意するように構成されている第２植物栽培参考情報を生成するステップと、を備える請求項７に記載の情報生成方法。
【請求項９】
前記生長環境データは温度データを備え、前記参考環境データは第１温度と第２温度とを備え、前記第１温度は前記第２温度より低く、
前記比較結果に基づいて前記植物栽培参考情報を生成するステップは、
前記温度データまたは前記温度データの統計値が前記第１温度より低い場合、温度を上げることを注意するように構成されている第３植物栽培参考情報を生成するステップと、
前記温度データまたは前記温度データの統計値が前記第２温度より高い場合、温度を下げることを注意するように構成されている第４植物栽培参考情報を生成するステップと、を備える請求項７または８に記載の情報生成方法。
【請求項１０】
前記生長環境データは土壌湿度データを備え、前記参考環境データは第１湿度と第２湿度とを備え、前記第１湿度は前記第２湿度より小さく、
前記比較結果に基づいて前記植物栽培参考情報を生成するステップは、
前記土壌湿度データまたは前記土壌湿度データの統計値が前記第１湿度より低い場合、水を供給することを注意するように構成されている第５植物栽培参考情報を生成するステップと、
前記土壌湿度データまたは前記土壌湿度データの統計値が前記第２湿度より高い場合、通風することを注意するように構成されている第６植物栽培参考情報を生成するステップと、を備える請求項７から９のいずれかの１つに記載の情報生成方法。
【請求項１１】
前記生長環境データは土壌ｐＨ値を備え、前記土壌ｐＨ値は土壌導電率に基づく計算により取得され、前記参考環境データは第１ｐＨ値と第２ｐＨ値とを備え、前記第１ｐＨ値は前記第２ｐＨ値より小さく、
前記比較結果に基づいて前記植物栽培参考情報を生成するステップは、
前記土壌ｐＨ値または前記土壌ｐＨ値の統計値が前記第１ｐＨ値より小さい場合、アルカリ性肥料を供給することを注意するように構成されている第７植物栽培参考情報を生成するステップと、
前記土壌ｐＨ値または前記土壌ｐＨ値の統計値が前記第２ｐＨ値より大きい場合、酸性肥料を供給することを注意するように構成されている第８植物栽培参考情報を生成するステップと、を備える請求項７から１０のいずれかの１つに記載の情報生成方法。
【請求項１２】
前記生長環境データは土壌ｐＨ値を備え、前記土壌ｐＨ値は土壌導電率に基づく計算により取得され、前記参考環境データは第３ｐＨ値と第４ｐＨ値とを備え、前記第３ｐＨ値は前記第４ｐＨ値より小さく、
前記比較結果に基づいて前記植物栽培参考情報を生成するステップは、
前記土壌ｐＨ値または前記土壌ｐＨ値の統計値が前記第３ｐＨ値より小さい場合、酸性の土壌における吸収率が所定条件より低い第１元素肥料を供給することを注意するように構成されている第９植物栽培参考情報を生成するステップと、
前記土壌ｐＨ値または前記土壌ｐＨ値の統計値が前記第４ｐＨ値より大きい場合、アルカリ性の土壌における吸収率が所定条件より低い第２元素肥料を供給することを注意するように構成されている第１０植物栽培参考情報を生成するステップと、を備える請求項７から１０のいずれかの１つに記載の情報生成方法。
【請求項１３】
前記情報生成方法は、
前記植物モニタとバインディング関係を確立するステップと、
前記植物モニタに対応する前記予定植物を記録するステップと、をさらに備える請求項６から１２のいずれかの１つに記載の情報生成方法。
【請求項１４】
前記情報生成方法は、前記植物栽培参考情報と誘導入口とをグラフィカルユーザインターフェースに表示するステップをさらに備え、前記誘導入口は少なくとも１つの栽培道具を購入するための入口、肥料を購入するための入口、栽培掲示板へ移動するための入口または栽培技術ウェブページへ移動するための入口を備える請求項６から１３のいずれかの１つに記載の情報生成方法。
【請求項１５】
プロセッサと、
前記プロセッサにより実施可能な指令を格納するメモリと、を備え、
前記プロセッサは、請求項６から１４のいずれかの１つに記載の情報生成方法を実行ように構成されている移動端末。
【請求項１６】
請求項１５に記載の前記移動端末と請求項１から５のいずれかの１つに記載の前記植物モニタとを備える植物モニタシステムであって、
前記移動端末は無線通信により前記植物モニタと接続する植物モニタシステム。
【請求項１７】
コンピューターが立ち上がっている時に、前記コンピューターに請求項６から１４のいずれかの１つに記載の情報生成方法を実行させるコンピュータープログラム。
【国際調査報告】
2019513369.tif 000018
2019513369.tif 000019
2019513369.tif 000020
2019513369.tif 000021